(57)【特許請求の範囲】
【請求項１】
巻き上げ手段と係合できる無端のリング部材（１）と、無端のリング部材と確実に係合できるフック部（３）並びに少なくとも１つの巻き上げチェーンと係合できるチェーン把持部（５）を備えた少なくとも１つのチェーン係合部材（２）を有するチェーン係合具において、前記の無端リング部材の少なくとも一部(1e)が扁平で断面が非円形であり、前記少なくとも１つのチェーン係合部材のシャンク部分が無端リング部材（１）と直接かつ確実に係合するフック部（３）を備え、そのフック部が無端リング部材の一部(1e)を通過させ得る寸法の挿入口（６）を前記チェーン把持部（５）向きに有しており、前記チェーン把持部（５）は前記巻上げチェーンの短縮及び延長を可能にするための前記巻き上げチェーンのリンク（21）の１つを決められた明確な位置に収容して保持できる溝（９）を備えていることを特徴とするチェーン係合具。
【請求項２】
前記の無端リング部材（１）がその一部(1e)を除いて実質的に円形断面を有している請求項１記載のチェーン係合具。
【請求項３】
前記の無端リング部材（１）の２つの長側部(1a,1b)の一方(1a)の中央部に、扁平部(1e)が位置している請求項１または２記載のチェーン係合具。
【請求項４】
無端リング部材（１）が前記の挿入口（６）からフック部（３）に挿入された後に、当該挿入口を閉鎖するためのロック手段（８）が、前記の少なくとも１つのチェーン係合部材（２）に設けられている請求項１乃至３のいずれか１項記載のチェーン係合具。
【請求項５】
チェーン係合部材（33）のチェーン把持部（34）が、少なくとも１つの巻き上げチェーン（44，45）の末端リンク(44a,45a)を係留するための少なくとも１つのアンカー手段(35c,36c)を備えている請求項１乃至４のいずれか１項記載のチェーン係合具。
【請求項６】
２本以上の巻き上げチェーンの各末端リンクをそれそれ係留するためのアンカー手段が、チェーン把持部（34）に２個以上設けられている請求項５記載のチェーン係合具。
【請求項７】
少なくともの断面が扁平で非円形である無端リング部材（１）と組み合わせて使用されるチェーン係合部材（２）において、当該チェーン係合部材が、少なくとも１つの巻き上げチェーン（21，22，23）と係合できるチェーン把持部（５）と、無端リング部材（１）の一部分(1e)が通過できる寸法の挿入口（６）をチェーン把持部（５）向きに持つフック部（３）を備えており、前記チェーン把持部（５）は前記巻上げチェーンの短縮及び延長を可能にするための前記巻き上げチェーンのリンク（21）の１つを決められた明確な位置に収容して保持できる溝（９）を備えていることを特徴とするチェーン係合部材。
【発明の詳細な説明】
発明の技術分野
本発明は、クレーンフックのような巻き上げ手段と係合できる無端のリング部材と、少なくとも１つのチェーン係合部材とで構成され、このチェーン係合部材が前記のリング部材としっかり連結されるフック部と、少なくとも１つの巻き上げチェーンと係合するチェーン把持部を有するチェーン係合具に関する。
従来の技術
チェーンの短縮クラッチ、短縮フックまたは掴みフック等が包含される上記のようなチェーン係合具は、多くの形状や具体例が知られている。WO83/03649号参照。それらのチェーン係合部材や短縮部材は、別個のシャックル（連環）又は同種の着脱可能な部材を介して、無端のリング部材（しばしば、マスターリンクと呼ばれる）に通常連結される。そのため、この組立て品は全体として複雑で、長大に過ぎ、しかも、無端のリング部材と別個の連結部材とチェーン係合部材の少なくとも３つの部品から構成されるので高価でもある。加えて、２〜３個の巻き上げチェーンの掛け鎖を、１個のマスターリンクに連結することが珍しくなく、時には１個のマスターリンクに４個の掛け鎖を連結することもあるので、係合部材の数が非常に多くなる。
本発明の概要
本発明の目的は、構成がより単純でコンパクトであり、しかも安価なチェーン係合具を提供することにある。本発明では、無端のリング部材の少なくとも一部を扁平にして当該部分の断面を非円形とし、少なくとも１つのチェーン係合部材のシャンク部分に、無端リング部材の一部分が通過できる寸法を有し、チェーン把持部側に向いた挿入口を備えたフック部を設け、そのフック部と無端リング部材とを直接確実に係合させることによって、上記の目的を達成させている。従って、チェーン係合部材は、シャックルのような中間連結具などを一切使用しないで、直接に無端リング部材と確実に連結することができる。このため、本発明のチェーン係合具は、比較的短く、単純で、しかも安価である。
本発明の特徴は、請求項２〜８に記述され、以下に説明される。請求項８から明らかなように、本発明はまた、無端のリング部材と併用されるチェーン係合部材に関するものでもある。
本発明は、幾つかの好ましい実施例を示す添付図面を参照して詳しく説明される。
【図面の簡単な説明】
図１は、無端のリング部材と、このリング部材と確実に連結されたチェーン係合部材を備えた本発明のチェーン係合具の側面図である。
図２は、図１のII−II線に沿った断面図である。
図３は、チェーン係合部材の第２実施例を示す側面図である。
図４は、図３のIV−IV線に沿った断面図である。
図５は、チェーン係合部材の第３実施例を示す側面図である。
図６は、図５のVI−VI線に沿った断面図である。
図７は、チェーン係合部材の第４実施例を示す側面図である。
図８は、図７のVIII−VIII線に沿った断面図である。
図面に基づく発明の詳述
図１に示すチェーン係合具は、上部に位置する無端リング部材１と、下部に位置するチェーン係合部材２を備えている。無端リング部材１は、２つの長側部1a,1bと２つの湾曲した端部1c,1dを持った楕円形のリングであって、このものは、細長い鉄材を楕円形に鍛造し、端部を溶接して無端リングとしたものである。リングの長側部1aの中央部において、材料を扁平に鍛造加工することによって、断面が非円形で、細長くて平らな狭隘部1eが形成されている。
狭隘部1eの断面積は、他の部分の断面積と実質的に同じであり、従って、材料の強度は、無端リング部材１の両長側部1a,1bにおいて実質的に同じである。
図１のチェーン係合部材２は、上部のフック部３と中央部４と下部のチェーン把持部５からなり、この把持部５がチェーンの短縮器具として機能する。フック部３は中央部４の反対側に自由端3aを有する環の形状にあり、中央部４と自由端3aとで挿入口６が形成されている。この挿入口６は、無端リング部材１の扁平部1eが通過できる寸法にあって、フック部３の内部開口７に通じている。従って、無端リング部材１の長側部1aと扁平部1eを、内部開口７の近くで横向きに倒すことにより、無端リング部材１を内部開口７に収めることができる。この際、スプリングで付勢されたロックピン８は、内部開口７への通路ができるよう引っ張られる。
次いで、無端リング部材１は図１に示すように直立に吊るされ、湾曲端部1dがフック部３の内部開口７内に確実に保持される。
チェーン係合部材２の下部に位置するチェーン把持部５は、中央のチェーンリンク21を収めてこれを支持するスロット９と、これに隣接する溝10を有しており、この溝にチェーンリンク22および23が嵌まり込んで、リンク21は中央の決められた位置に保持される。
第２の実施例であるチェーン係合具２’は図３および図４に示され、上部のフック部３’は、挿入口６’にロックピンが設けられていない点を除くと、図１のフック部と同じである。つまり、挿入口６’はチェーン把持部５’に対面している。部材２’は本実施例の場合にあっては、短縮具としても機能する。
チェーン把持部５’は、先の実施例のチェーン把持部５と若干異なり、中央に位置するチェーンリンク21’が平らの状態で、ほぼ水平に（部材２’が図示のように直立している場合）収まるポケット状の溝９’を備えている。そして、この溝の一方の側（図４では左側）には、隣のチェーンリンク22’を直立に収容する中央スロット11’が設けられ、他方の側（図４の右側）には、他方の隣接リンク23’を支持するための小さい溝が設けられている。
第３実施例のチェーン係合部材２’’は、図５および図６に示される。この実施例の場合も、上部のフック部３’’は基本的には図１に示したそれと同じであるが、挿入口６’’は斜め側方に向いている（図５で左側）。ロックピン８’’はフック部３’’の自由端部３’’ａに装着されている。
チェーン把持部５’’は２本の平行な脚部12’’ａおよび12’’ｂを有するホーク状構造にあり、２本の脚部は中央のチェーンリンク21’’と両隣のチェーンリンク22’’および23’’を、図６に示すような決められた位置に収容できる形状のポケット状の溝13’’を形成している。脚部12’’ａおよび12’’ｂを有するホーク状構造の前端14’’には、着脱可能なアンカーピン15’’が横設される。
アンカーピン15’’は、チェーンの末端リンク24’’を通して脚部12’’ａと12’’ｂの間に延び、末端リンク24’’はチェーン把持部５’’にしっかり接続される。このため、リンク23’’とリンク24’’との間に形成されるチェーンループは、所望とおり短縮または延長することができる。
図７および図８に示すチェーン係合部材32は、そのシャンク部分にフック部33を備え、このフック部は図５に示すフック部３’’と全く同じである。一方、下部のチェーン係合部34は、前例とは異なり、２本の別々のチェーン44および45のそれぞれの末端44a,45aを係留するためのアンカー手段が２つ設けられている。
チェーン係合部34は下向きに延びる２つの張り出し部35および36を有し、各張り出し部はそれぞれ２本の脚部35a,35bおよび36a,36bを持つフォーク状に形成されている。アンカーピン35c,36cは各脚部間に着脱可能に装着され、これらのアンカーピンによってそれぞれの末端リンク44および45はしっかりと保持される。
図示の各具体例は、請求の範囲で規定する範囲内で部分的に変形することができる。例えば、無端のリング部材には、断面が扁平な部分を複数個設けることができる。あるいはまた、リング部材の断面全体を扁平断面とすることもできる。そうした断面の具体例には、四隅が面どりされた長方形または楕円形等がある。好ましくは、チェーン係合部材のフック部は、無端リング部材の断面寸法に見合った内部開口を持つよう形成される。チェーン係合部材のチェーン把持部には、図７に示す２つアンカー手段に加えて、あるいはこのアンカー手段の代わりに、２つの溝またはポケットを設け、２つの枝チェーンを同じ係合部材に係合させることもできる。さらにまた、本発明の係合具に、２つまたは３つ、もしくはそれ以上のチェーン係合部材を保持させ、対応する数の枝チェーンを確実にリング部材に接続させることができる。
【図１】
0003990731.tif 000002
【図２】
0003990731.tif 000003
【図３】
0003990731.tif 000004
【図４】
0003990731.tif 000005
【図５】
0003990731.tif 000006
【図６】
0003990731.tif 000007
【図７】
0003990731.tif 000008
【図８】
0003990731.tif 000009